(57)【要約】【課題】  主信号光及び監視制御信号光の波長帯域の減少を抑制することができる伝送システム、伝送装置、及び伝送方法を提供する。【解決手段】  伝送システムは、主信号光が波長多重された第１波長帯の第１ＷＤＭ光及び第２波長帯の第２ＷＤＭ光の合波光を送信する第１伝送装置と、合波光から第１及び第２ＷＤＭ光を分波する第２伝送装置とを有し、第１伝送装置は、第１ＷＤＭ光に第１及び第２波長帯外の第１ＯＳＣ光を合波し、第１波長帯の第２ＷＤＭ光に第１及び第２波長帯外の第２ＯＳＣ光を合波し、第２ＷＤＭ光を第１波長帯から第２波長帯に変換し、第２ＯＳＣ光を第１波長帯の第２ＷＤＭ光から分波し第２波長帯の第２ＷＤＭ光に合波し、第２伝送装置は、第２ＷＤＭ光を第２波長帯から第１波長帯に変換し、第２ＯＳＣ光を第２波長帯の第２ＷＤＭ光から分波し第１波長帯の第２ＷＤＭ光に合波する。【選択図】図４
2020088642.tif 000002
【特許請求の範囲】
【請求項１】
複数の主信号光がそれぞれ波長多重された第１波長帯の第１波長多重信号光及び第２波長帯の第２波長多重信号光を合波して該合波光を送信する第１伝送装置と、
前記合波光を受信し、前記合波光から前記第１波長多重信号光と前記第２波長多重信号光を分波する第２伝送装置とを有し、
前記第１伝送装置は、
前記第１波長多重信号光に、前記第１波長多重信号光の監視制御に関する情報を含み、前記第１波長帯及び前記第２波長帯の外部の波長の第１監視制御信号光を合波する第１合波部と、
前記第１波長帯の前記第２波長多重信号光に、前記第２波長多重信号光の監視制御に関する情報を含み、前記第１波長帯及び前記第２波長帯の外部の波長の第２監視制御信号光を合波する第２合波部と、
前記第２波長多重信号光の波長帯を前記第１波長帯から前記第２波長帯に変換する第１波長変換部と、
前記第２監視制御信号光を前記第１波長帯の前記第２波長多重信号光から分波して前記第２波長帯の前記第２波長多重信号光に合波する第１合分波部とを有し、
前記第２伝送装置は、
前記第２波長多重信号光の波長帯を前記第２波長帯から前記第１波長帯に変換する第２波長変換部と、
前記第２監視制御信号光を前記第２波長帯の前記第２波長多重信号光から分波して前記第１波長帯の前記第２波長多重信号光に合波する第２合分波部とを有することを特徴とする伝送システム。
【請求項２】
前記第１合分波部は、前記第２監視制御信号光の波長を前記第１監視制御信号光の波長とは異なる波長に変換する第３波長変換部を有することを特徴とする請求項１に記載の伝送システム。
【請求項３】
前記第１伝送装置は、
前記第１監視制御信号光を前記第１波長多重信号光から分波する第１分波部と、
前記第１波長多重信号光から分波された前記第１監視制御信号光を電気的な第１データ信号に変換する第１電気変換部とを有し、
前記第１合分波部は、
前記第２波長帯の前記第２波長多重信号光から分波された前記第２監視制御信号光を電気的な第２データ信号に変換する第２電気変換部と、
前記第１データ信号及び前記第２データ信号を時分割多重する多重処理部と、
前記第１データ信号及び前記第２データ信号が時分割多重された時分割多重信号を光信号に変換する第１光変換部と、
前記光信号を前記合波光に合波する第３合波部とを有し、
前記第２合分波部は、
前記合波光から前記光信号を分波する第２分波部と、
前記光信号を電気的な前記時分割多重信号に変換する第３電気変換部と、
前記時分割多重信号から前記第１データ信号及び前記第２データ信号を分離する分離部と、
前記第２データ信号を前記第２監視制御信号光に変換する第２光変換部と、
前記第２監視制御信号光を前記第１波長帯の前記第２波長多重信号光に合波する第４合波部とを有し、
前記第２伝送装置は、
前記第１データ信号を前記第１監視制御信号光に変換する第３光変換部と、
前記第１監視制御信号光を前記第１波長多重信号光に合波する第５合波部を有することを特徴とする請求項１に記載の伝送システム。
【請求項４】
前記多重処理部は、前記第１データ信号及び前記第２データ信号に互いに異なる第１及び第２識別子をそれぞれ付与し、
前記分離部は、前記第１識別子及び前記第２識別子に基づき前記第１データ信号及び前記第２データ信号を前記第３光変換部及び前記第２光変換部にそれぞれ出力することを特徴とする請求項３に記載の伝送システム。
【請求項５】
前記第１監視制御信号光の波長と前記第２監視制御信号光の波長は同一であることを特徴とする請求項３または４に記載の伝送システム。
【請求項６】
複数の主信号光がそれぞれ波長多重された第１波長帯の第１波長多重信号光及び第２波長帯の第２波長多重信号光を合波して該合波光を送信する伝送装置において、
前記第１波長多重信号光に、前記第１波長多重信号光の監視制御に関する情報を含み、前記第１波長帯及び前記第２波長帯の外部の波長の第１監視制御信号光を合波する第１合波部と、
前記第１波長帯の前記第２波長多重信号光に、前記第２波長多重信号光の監視制御に関する情報を含み、前記第１波長帯及び前記第２波長帯の外部の波長の第２監視制御信号光を合波する第２合波部と、
前記第２波長多重信号光の波長帯を前記第１波長帯から前記第２波長帯に変換する波長変換部と、
前記第２監視制御信号光を前記第１波長帯の前記第２波長多重信号光から分波して前記第２波長帯の前記第２波長多重信号光に合波する合分波部とを有することを特徴とする伝送装置。
【請求項７】
複数の主信号光がそれぞれ波長多重された第１波長帯の第１波長多重信号光及び第２波長帯の第２波長多重信号光を合波して該合波光を送信する第１伝送装置と、
前記合波光を受信し、前記合波光から前記第１波長多重信号光と前記第２波長多重信号光を分波する第２伝送装置とを用い、
前記第１伝送装置は、
前記第１波長多重信号光に、前記第１波長多重信号光の監視制御に関する情報を含み、前記第１波長帯及び前記第２波長帯の外部の波長の第１監視制御信号光を合波し、
前記第１波長帯の前記第２波長多重信号光に、前記第２波長多重信号光の監視制御に関する情報を含み、前記第１波長帯及び前記第２波長帯の外部の波長の第２監視制御信号光を合波し、
前記第２波長多重信号光の波長帯を前記第１波長帯から前記第２波長帯に変換し、
前記第２監視制御信号光を前記第１波長帯の前記第２波長多重信号光から分波して前記第２波長帯の前記第２波長多重信号光に合波し、
前記第２伝送装置は、
前記第２波長多重信号光の波長帯を前記第２波長帯から前記第１波長帯に変換し、
前記第２監視制御信号光を前記第２波長帯の前記第２波長多重信号光から分波して前記第１波長帯の前記第２波長多重信号光に合波することを特徴とする伝送方法。
【発明の詳細な説明】
【技術分野】
【０００１】
本件は、伝送システム、伝送装置、及び伝送方法に関する。
【背景技術】
【０００２】
通信需要の増加に伴い、波長多重光伝送（WDM: Wavelength Division Multiplexing）の伝送容量の増加が要求されている。例えば、Ｃ（Conventional）バンドの波長多重信号光だけで伝送を行う場合、その波長帯は１５３０〜１５６５（nm）に限られる。
【０００３】
このため、例えば、１５６５〜１６２５（nm）のＬ（Long）バンドや１４６０〜１５３０（nm）のＳ（Short）バンドまで波長帯を拡張することにより、ＷＤＭの伝送容量を増加させることが検討されている。例えば特許文献１には、Ｃバンドの波長多重信号光をＬバンド及びＳバンドの波長多重信号光に変換することにより、Ｃバンド、Ｌバンド、及びＳバンドの各波長多重信号光を合波して伝送する技術が記載されている。
【先行技術文献】
【特許文献】
【０００４】
【特許文献１】特開２００３−１８８８３０号公報
【発明の概要】
【発明が解決しようとする課題】
【０００５】
Ｃバンド、Ｌバンド、及びＳバンドの各波長多重信号光には、各波長多重信号光の監視制御情報を含む監視制御信号光が合波される。制御情報としては、例えば伝送路断の通知が挙げられ、伝送路断の通知に応じて、例えば伝送路上の光アンプの発光が停止する。これにより、レーザ光が伝送路から漏れることが防止されるため、伝送路の近くの作業者などの安全が確保される。
【０００６】
送信側において、主信号を含む主信号光の波長多重信号光と監視制御信号光は合波され、その合波光の波長帯がＣバンドからＳバンドまたはＬバンドに変換される。このとき、波長変換が可能な帯域幅は有限であるため、監視制御信号光の波長帯域が広いほど、主信号光の波長帯域は狭くなり、伝送可能なユーザのデータ量が減少する。また、これとは逆に主信号光の波長帯域が広いほど、監視制御信号光の波長帯域は狭くなり、監視制御機能に使用可能なデータ量が減少する。
【０００７】
そこで本件は、主信号光及び監視制御信号光の波長帯域の減少を抑制することができる伝送システム、伝送装置、及び伝送方法を提供することを目的とする。
【課題を解決するための手段】
【０００８】
１つの態様では、伝送システムは、複数の主信号光がそれぞれ波長多重された第１波長帯の第１波長多重信号光及び第２波長帯の第２波長多重信号光を合波して該合波光を送信する第１伝送装置と、前記合波光を受信し、前記合波光から前記第１波長多重信号光と前記第２波長多重信号光を分波する第２伝送装置とを有し、前記第１伝送装置は、前記第１波長多重信号光に、前記第１波長多重信号光の監視制御に関する情報を含み、前記第１波長帯及び前記第２波長帯の外部の波長の第１監視制御信号光を合波する第１合波部と、前記第１波長帯の前記第２波長多重信号光に、前記第２波長多重信号光の監視制御に関する情報を含み、前記第１波長帯及び前記第２波長帯の外部の波長の第２監視制御信号光を合波する第２合波部と、前記第２波長多重信号光の波長帯を前記第１波長帯から前記第２波長帯に変換する第１波長変換部と、前記第２監視制御信号光を前記第１波長帯の前記第２波長多重信号光から分波して前記第２波長帯の前記第２波長多重信号光に合波する第１合分波部とを有し、前記第２伝送装置は、前記第２波長多重信号光の波長帯を前記第２波長帯から前記第１波長帯に変換する第２波長変換部と、前記第２監視制御信号光を前記第２波長帯の前記第２波長多重信号光から分波して前記第１波長帯の前記第２波長多重信号光に合波する第２合分波部とを有する。
【０００９】
１つの態様では、伝送装置は、複数の主信号光がそれぞれ波長多重された第１波長帯の第１波長多重信号光及び第２波長帯の第２波長多重信号光を合波して該合波光を送信する伝送装置において、前記第１波長多重信号光に、前記第１波長多重信号光の監視制御に関する情報を含み、前記第１波長帯及び前記第２波長帯の外部の波長の第１監視制御信号光を合波する第１合波部と、前記第１波長帯の前記第２波長多重信号光に、前記第２波長多重信号光の監視制御に関する情報を含み、前記第１波長帯及び前記第２波長帯の外部の波長の第２監視制御信号光を合波する第２合波部と、前記第２波長多重信号光の波長帯を前記第１波長帯から前記第２波長帯に変換する波長変換部と、前記第２監視制御信号光を前記第１波長帯の前記第２波長多重信号光から分波して前記第２波長帯の前記第２波長多重信号光に合波する合分波部とを有する。
【００１０】
１つの態様では、伝送方法は、複数の主信号光がそれぞれ波長多重された第１波長帯の第１波長多重信号光及び第２波長帯の第２波長多重信号光を合波して該合波光を送信する第１伝送装置と、前記合波光を受信し、前記合波光から前記第１波長多重信号光と前記第２波長多重信号光を分波する第２伝送装置とを用い、前記第１伝送装置は、前記第１波長多重信号光に、前記第１波長多重信号光の監視制御に関する情報を含み、前記第１波長帯及び前記第２波長帯の外部の波長の第１監視制御信号光を合波し、前記第１波長帯の前記第２波長多重信号光に、前記第２波長多重信号光の監視制御に関する情報を含み、前記第１波長帯及び前記第２波長帯の外部の波長の第２監視制御信号光を合波し、前記第２波長多重信号光の波長帯を前記第１波長帯から前記第２波長帯に変換し、前記第２監視制御信号光を前記第１波長帯の前記第２波長多重信号光から分波して前記第２波長帯の前記第２波長多重信号光に合波し、前記第２伝送装置は、前記第２波長多重信号光の波長帯を前記第２波長帯から前記第１波長帯に変換し、前記第２監視制御信号光を前記第２波長帯の前記第２波長多重信号光から分波して前記第１波長帯の前記第２波長多重信号光に合波する方法である。
【発明の効果】
【００１１】
１つの側面として、主信号光及び監視制御信号光の波長帯域の減少を抑制することができる。
【図面の簡単な説明】
【００１２】
【図１】比較例の伝送システムを示す構成図である。
【図２】波長変換部の一例を示す構成図である。
【図３】送信ユニットにおける波長変換前後及び合波後の波長多重信号光及びＯＳＣ（Optical Supervisory Channel）光の波長帯域の例を示す図である。
【図４】第１実施例の送信ユニット及び受信ユニットを示す構成図である。
【図５】送信ユニットにおける波長変換前後及び合波後の波長多重信号光及びＯＳＣ光の波長帯域の例を示す図である。
【図６】第２実施例の送信ユニット及び受信ユニットを示す構成図である。
【図７】第３実施例の送信ユニットを示す構成図である。
【図８】時分割多重処理の一例を示す図である。
【図９】第３実施例の受信ユニットを示す構成図である。
【図１０】送信ユニットにおける波長変換前後及び合波後の波長多重信号光及びＯＳＣ光の波長帯域の例を示す図である。
【発明を実施するための形態】
【００１３】
（比較例）
図１は、比較例の伝送システムを示す構成図である。伝送システムには、一例として、光ファイバなどから構成された伝送路９０，９１を介して互いに接続された一組の伝送装置８ａ，８ｂを有する。
【００１４】
伝送装置８ａは制御ユニット１ａ、送信ユニット２ａ、及び受信ユニット３ａを有し、伝送装置８ｂは制御ユニット１ｂ、送信ユニット２ｂ、及び受信ユニット３ｂを有する。送信ユニット２ａ及び受信ユニット３ｂは伝送路９０を介して互いに接続され、送信ユニット２ｂ及び受信ユニット３ａは伝送路９１を介して互いに接続されている。
【００１５】
送信ユニット２ａは、点線で示されるように、Ｃバンド、Ｌバンド、及びＳバンドの各波長多重信号光Ｓａ〜Ｓｃを合波して合波光Ｓｍｕｘを生成し、伝送路９０を介して受信ユニット３ｂに送信する。また、送信ユニット２ｂも、送信ユニット２ａと同様に、Ｃバンド、Ｌバンド、及びＳバンドの各波長多重信号光を合波して合波光Ｓｍｕｘ’を生成し、伝送路９１を介して受信ユニット３ａに送信する。
【００１６】
制御ユニット１ａ，１ｂ、送信ユニット２ａ，２ｂ、及び受信ユニット３ａ，３ｂは、例えば、複数の電気部品及び光学部品が実装された回路基板により構成され、伝送装置８ａ，８ｂの筐体に設けられたスロットにそれぞれ実装される。制御ユニット１ａ，１ｂ、送信ユニット２ａ，２ｂ、及び受信ユニット３ａ，３ｂは、伝送装置８ａ，８ｂ内に設けられた配線基板と電気コネクタなどを介して接続され、配線基板を介して互いにデータを入出力する。
【００１７】
以下に送信ユニット２ａ及び受信ユニット３ｂの構成を説明する。なお、送信ユニット２ｂは送信ユニット２ａと同様の構成を有し、受信ユニット３ａは受信ユニット３ｂと同様の構成を有する。
【００１８】
送信ユニット２ａは、複数の送信器２０ａ〜２０ｃと、合波器２１ａ〜２１ｃ，２２ａ〜２２ｃと、光増幅器２３ａ〜２３ｃと、ＯＳＣ送信部２５ａ〜２５ｃと、光送信処理部Ｕａとを有する。光送信処理部Ｕａは、波長変換部（ＣＮＶ）２４ａ，２４ｃ及び合波器２６を有する。
【００１９】
波長変換部２４ａは、波長多重信号光Ｓａの波長帯をＣバンドからＬバンドに変換し、波長変換部２４ｃは、波長多重信号光Ｓｃの波長帯をＣバンドからＳバンドに変換する。なお、Ｃバンドは第１波長帯の一例であり、Ｓバンド及びＬバンドは第２波長帯の一例である。
【００２０】
複数の送信器２０ａ、合波器２１ａ，２２ａ、光増幅器２３ａ、及び波長変換器２４ａは、波長多重信号光Ｓａの経路上に設けられている。各送信器２０ａは、Ｃバンド内の波長の主信号光Ｄａを生成し合波器２１ａに出力する。
【００２１】
複数の送信器２０ｂ、合波器２１ｂ，２２ｂ、及び光増幅器２３ｂは、波長多重信号光Ｓｂの経路上に設けられている。各送信器２０ｂは、Ｃバンド内の波長の主信号光Ｄｂを生成し合波器２１ｂに出力する。
【００２２】
複数の送信器２０ｃ、合波器２１ｃ，２２ｃ、及び光増幅器２３ｃは、波長多重信号光Ｓｃの経路上に設けられている。各送信器２０ｃは、Ｃバンド内の波長の主信号光Ｄｃを生成し合波器２１ｃに出力する。送信器２０ａ〜２０ｃは、クライアント側のＬＡＮ（Local Area Network）などに接続され、例えばイーサネット（登録商標、以下同様）信号などのクライアント信号から主信号光Ｄａ〜Ｄｃを生成する。
【００２３】
合波器２１ａは、各送信器２０ａから入力された主信号光Ｄａを合波してＣバンドの波長多重信号光Ｓａを生成し光増幅器２３ａに出力する。また、合波器２１ａと同様に、合波器２１ｂは、主信号光ＤｂからＣバンドの波長多重信号光Ｓｂを生成して光増幅器２３ｂに出力し、合波器２１ｃは、主信号光ＤｃからＣバンドの波長多重信号光Ｓｃを生成して光増幅器２３ｃに出力する。なお、合波器２１ａ〜２１ｃは例えば光カプラである。
【００２４】
光増幅器２３ａ〜２３ｃは波長多重信号光Ｓａ〜Ｓｃを増幅して合波器２２ａ〜２２ｃにそれぞれ出力する。光増幅器２３ａ〜２３ｃは、例えばＥＤＦＡ（Erbium Doped optical Fiber Amplifier）である。
【００２５】
ＯＳＣ送信部２５ａ〜２５ｃは、波長多重信号光Ｓａ〜Ｓｃの監視制御に関する監視制御情報を含む監視制御信号光（以下、ＯＳＣ光）ＳＣａ〜ＳＣｃをそれぞれ生成する。ＯＳＣ光ＳＣａ〜ＳＣｃはＣバンド内の波長λa〜λcをそれぞれ有する。なお、ＯＳＣ光ＳＣｂは第１監視制御信号光の一例であり、ＯＳＣ光ＳＣａ，ＳＣｃは第２監視制御信号光の一例である。
【００２６】
ＯＳＣ送信部２５ａ〜２５ｃは、ＯＳＣ光ＳＣａ〜ＳＣｃを生成して合波器２２ａ〜２２ｃにそれぞれ出力する。合波器２２ａは、波長多重信号光ＳａにＯＳＣ光ＳＣａを合波する。合波された波長多重信号光Ｓａ及びＯＳＣ光ＳＣａは波長変換部２４ａに入力される。なお、ＯＳＣ送信部２５ａ〜２５ｃは、例えばＳＦＰ（Small Form-factor Pluggable）、及びＦＰＧＡ（Field Programmable Gate Array）やＡＳＩＣ（Application Specified Integrated Circuit）などのハードウェアから構成される回路である。
【００２７】
合波器２２ｂは、波長多重信号光ＳｂにＯＳＣ光ＳＣｂを合波する。合波された波長多重信号光Ｓｂ及びＯＳＣ光ＳＣｂは合波器２６に入力される。
【００２８】
合波器２２ｃは、波長多重信号光ＳｃにＯＳＣ光ＳＣｃを合波する。合波された波長多重信号光Ｓｃ及びＯＳＣ光ＳＣｃは波長変換部２４ｃに入力される。なお、合波器２２ａ〜２２ｃは例えば光カプラまたは光フィルタである。合波器２２ａ，２２ｃは第１合波部の一例であり、合波器２２ｂは第２合波部の一例である。
【００２９】
波長変換部２４ａは波長多重信号光Ｓａ及びＯＳＣ光ＳＣａの合波光の波長帯をＣバンドからＬバンドに変換し、波長変換部２４ｃは波長多重信号光Ｓｃ及びＯＳＣ光ＳＣｃの合波光の波長帯をＣバンドからＳバンドに変換する。波長変換部２４ａ，２４ｃは第１波長変換部の一例である。波長変換部２４ａ，２４ｃは波長多重信号光Ｓａ，Ｓｃ及びＯＳＣ光ＳＣａ，ＳＣｃの合波光を合波器２６にそれぞれ出力する。
【００３０】
合波器２６は、波長変換部２４ａ，２４ｃから入力された各合波光と合波器２２ｂから入力された波長多重信号光Ｓｂを合波し、その合波光Ｓｍｕｘを伝送路９０に出力する。なお、合波器２６は例えば光カプラである。
【００３１】
このように、送信ユニット２ａは、複数の主信号光Ｄａ〜Ｄｃがそれぞれ波長多重されたＬバンドの波長多重信号光Ｓａ、Ｃバンドの波長多重信号光Ｓｂ、及びのＳバンドの波長多重信号光Ｓｃを合波して、その合波光Ｓｍｕｘを受信ユニット３ｂに送信する。
【００３２】
受信ユニット３ｂは、複数の受信器３０ａ〜３０ｃ、分波器３１ａ〜３１ｃ，３２ａ〜３２ｃと、光増幅器３３ａ〜３３ｃと、光受信処理部Ｕｂとを有する。光受信処理部Ｕｂは分波器３６及び波長変換部３４ａ，３４ｃを有する。
【００３３】
合波光Ｓｍｕｘは伝送路９０から分波器３６に入力される。分波器３６は、合波光Ｓｍｕｘを波長帯ごとに分波して別々のポートから出力する。分波器３６は例えば光スプリッタである。
【００３４】
Ｌバンドの波長多重信号光Ｓａ及びＯＳＣ光ＳＣａは波長変換部３４ａに入力される。波長変換部３４ａは、波長多重信号光Ｓａ及びＯＳＣ光ＳＣａの波長帯をＬバンドからＣバンドに変換して、Ｃバンドの波長多重信号光Ｓａ及びＯＳＣ光ＳＣａを分波器３２ａに出力する。
【００３５】
Ｓバンドの波長多重信号光Ｓｃ及びＯＳＣ光ＳＣｃは波長変換部３４ｃに入力される。波長変換部３４ｃは、波長多重信号光Ｓｃ及びＯＳＣ光ＳＣｃの波長帯をＳバンドからＣバンドに変換して、Ｃバンドの波長多重信号光Ｓｃ及びＯＳＣ光ＳＣｃを分波器３２ｃに出力する。なお、波長変換部３４ａ，３４ｃは第２波長変換部の一例である。
【００３６】
また、Ｃバンドの波長多重信号光Ｓｂ及びＯＳＣ光ＳＣｂは分波器３６から後段の分波器３２ｂに入力される。
【００３７】
分波器３２ａは、波長多重信号光ＳａからＯＳＣ光ＳＣａを分波してＯＳＣ受信部３５ａに出力する。波長多重信号光Ｓａは分波器３２ａから光増幅器３３ａに入力される。光増幅器３３ａは波長多重信号光Ｓａを増幅して分波器３１ａに出力する。
【００３８】
分波器３２ｂは、波長多重信号光ＳｂからＯＳＣ光ＳＣｂを分波してＯＳＣ受信部３５ｂに出力する。波長多重信号光Ｓｂは分波器３２ｂから光増幅器３３ｂに入力される。光増幅器３３ｂは波長多重信号光Ｓｂを増幅して分波器３１ｂに出力する。
【００３９】
分波器３２ｃは、波長多重信号光ＳｃからＯＳＣ光ＳＣｃを分波してＯＳＣ受信部３５ｃに出力する。波長多重信号光Ｓｃは分波器３２ｃから光増幅器３３ｃに入力される。光増幅器３３ｃは波長多重信号光Ｓｃを増幅して分波器３１ｃに出力する。なお、分波器３２ａ〜３２ｃは例えば光スプリッタまたは光フィルタであり、光増幅器３３ａ〜３３ｃは例えばＥＤＦＡである。
【００４０】
ＯＳＣ受信部３５ａ〜３５ｃはＯＳＣ光ＳＣａ〜ＳＣｃをそれぞれ受信する。ＯＳＣ受信部３５ａ〜３５ｃはＯＳＣ光ＳＣａ〜ＳＣｃを電気信号に変換して電気信号から監視制御情報を取得する。なお、ＯＳＣ受信部３５ａ〜３５ｃは、例えばＳＦＰ、及びＦＰＧＡやＡＳＩＣなどのハードウェアから構成される回路である。
【００４１】
分波器３１ａは、波長多重信号光Ｓａを波長ごとの主信号光Ｄａに分波し、各主信号光Ｄａを受信器３０ａに出力する。分波器３１ｂは、波長多重信号光Ｓｂを波長ごとの主信号光Ｄｂに分波し、各主信号光Ｄｂを受信器３０ｂに出力する。分波器３１ｃは、波長多重信号光Ｓｃを波長ごとの主信号光Ｄｃに分波し、各主信号光Ｄｃを受信器３０ｃに出力する。なお、分波器３１ａ〜３１ｃは例えば光スプリッタである。
【００４２】
受信器３０ａ〜３０ｃは主信号光Ｄａ〜Ｄｃをそれぞれ受信する。受信器３０ａ〜３０ｃは、クライアント側のＬＡＮなどに接続され、例えば主信号光Ｄａ〜Ｄｃからクライアント信号を生成してＬＡＮに送信する。
【００４３】
このように、受信ユニット３ｂは、合波光Ｓｍｕｘを受信し、合波光ＳｍｕｘからＬバンドの波長多重信号光Ｓａ、Ｃバンドの波長多重信号光Ｓｂ、及びＳバンドの波長多重信号光Ｓｃを分波する。
【００４４】
また、制御ユニット１ａは送信ユニット２ａ及び受信ユニット３ａを制御し、制御ユニット１ｂは送信ユニット２ｂ及び受信ユニット３ｂを制御する。制御ユニット１ａ，１ｂは、例えばＣＰＵ（Central Processing Unit）などのプロセッサやメモリなどの回路を有し、プロセッサを駆動するソフトウェアの機能により各種の制御を行う。
【００４５】
以下に、制御の一例として、伝送路９０が切断した場合（バツ印参照）の制御ユニット１ａ，１ｂの動作を説明する。この場合、受信ユニット３ｂの光増幅器３３ａ〜３３ｃは、波長多重信号光Ｓａ〜Ｓｃの入力がないことをそれぞれ検出して信号入力断の警報を制御ユニット１ｂに出力する。また、受信ユニット３ｂのＯＳＣ受信部３５ａ〜３５ｃは、ＯＳＣ光ＳＣａ〜ＳＣｃの受信がないことをそれぞれ検出してリンク断の警報を制御ユニット１ｂに出力する。
【００４６】
制御ユニット１ｂは、信号入力断の警報及びリンク断の警報の入力の条件が成立するため、伝送路９０の伝送方向とは反対方向の伝送路９１に接続された送信ユニット２ｂの光増幅器２３ａ〜２３ｃの出力を停止する。また、制御ユニット１ｂは、送信ユニット２ｂのＯＳＣ送信部２５ａ〜２５ｃに、接続先の受信ユニット３ａへのリンク断の警報の転送を指示する。
【００４７】
受信ユニット３ａの光増幅器３３ａ〜３３ｃは、送信ユニット２ｂの光増幅器２３ａ〜２３ｃの出力の停止により、波長多重信号光の入力がないことを検出して信号入力断の警報を制御ユニット１ａに出力する。また、受信ユニット３ａのＯＳＣ受信部３５ａ〜３５ｃは、送信ユニット２ｂのＯＳＣ送信部２５ａ〜２５ｃから転送された警報を受信することにより、リンク断の警報を制御ユニット１ａに出力する。
【００４８】
制御ユニット１ａは、信号入力断の警報及びリンク断の警報の入力の条件が成立するため、伝送路９０に接続された送信ユニット２ａの光増幅器２３ａ〜２３ｃの出力を停止する。これにより、伝送装置８ａ，８ｂの間の伝送路９０，９１への光出力が停止するため、レーザ光が伝送路９０から漏れることが防止される。このため、伝送路９０の近くの作業者などの安全が確保される。
【００４９】
次に波長変換部２４ａ，２４ｃ，３４ａ，３４ｃの構成を説明する。
【００５０】
図２は、波長変換部２４ａ，２４ｃ，３４ａ，３４ｃの一例を示す構成図である。波長変換部２４ａ，２４ｃ，３４ａ，３４ｃは、それぞれ、ＷＤＭ（Wavelength Division Multiplexing）カプラ２４２と、励起光源２４０，２４１と、光サーキュレータ２４３と、偏波ビームスプリッタ２４４と、高非線形ファイバ（HNLF: Highly Non-Linear Fiber）２４５とを有する。
【００５１】
ここでは、波長変換部２４ａ，２４ｃ，３４ａ，３４ｃに入力される波長多重信号光Ｓａ，Ｓｃ及びＯＳＣ光ＳＣａ，ＳＣｃの各合波光を入力光Ｌｉｎと表記する。また、波長変換部２４ａ，２４ｃ，３４ａ，３４ｃから出力される波長多重信号光Ｓａ，Ｓｃ及びＯＳＣ光ＳＣａ，ＳＣｃの各合波光を出力光Ｌｏｕｔと表記する。
【００５２】
励起光源２４０，２４１は励起光Ｘｍ，ＸｅをＷＤＭカプラ２４２にそれぞれ出力する。各励起光Ｘｍ，Ｘｅの偏波は互いに直交する。ＷＤＭカプラ２４２は２つの励起光Ｘｍ，Ｘｅを波長多重して偏波ビームスプリッタ２４４に出力する。また、入力光Ｌｉｎは光サーキュレータ２４３を通って偏波ビームスプリッタ２４４に入力される。なお、入力光Ｌｉｎは波長多重信号光Ｓａ，Ｓｃ及びＯＳＣ光ＳＣａ，ＳＣｃの合波光である。
【００５３】
偏波ビームスプリッタ２４４には、高非線形ファイバ２４５の両端が接続されている。高非線形ファイバ２４５は２つの主軸を有する。偏波ビームスプリッタ２４４のＴＥ偏波の出力ポートは、高非線形ファイバ２４５の一端で１つの主軸に合う角度で接続されている。偏波ビームスプリッタ２４４のＴＭ偏波の出力ポートは、高非線形ファイバ２４５の他端で同じ主軸に合う角度で接続されている。
【００５４】
励起光Ｘｍ，Ｘｅ及び入力光Ｌｉｎは偏波ビームスプリッタ２４４によりＴＥ偏波及びＴＭ偏波に分離され、ＴＥ偏波及びＴＭ偏波は高非線形ファイバ２４５の別々の一端に入力されて他の一端から再び偏波ビームスプリッタ２４４に入力される。
【００５５】
高非線形ファイバ２４５は励起光Ｘｍ，Ｘｅ及び入力光Ｌｉｎの四波混合（FWM: Four-Wave Mixing）を発生させる。四光波混合により生じたアイドラ光は、励起光Ｘｍ，Ｘｅ及び入力光Ｌｉｎの各波長の差分に応じた波長を有する。アイドラ光は高非線形ファイバ２４５から偏波ビームスプリッタ２４４を通って光サーキュレータ２４３に入力される。アイドラ光は光サーキュレータ２４３から出力光Ｌｏｕｔとして出力される。
【００５６】
これにより、波長多重信号光Ｓａ，Ｓｃ及びＯＳＣ光ＳＣａ，ＳＣｃの波長帯は、ＣバンドとＬバンドまたはＳバンドの間で変換される。なお、波長変換部２４ａ，２４ｃ，３４ａ，３４ｃは２つの励起光Ｘｍ，Ｘｅを用いるが、単一の励起光を用いてもよい。
【００５７】
波長変換部２４ａ，２４ｃ，３４ａ，３４ｃが波長変換可能な帯域幅は、例えば高非線形ファイバ２４５の材料及び構造などにより決定されるため、例えばＣバンドの全帯域の波長変換が可能であるわけではなく、一定の制限がある。したがって、ＯＳＣ光ＳＣａ〜ＳＣｃの波長帯域が広いほど、主信号光Ｄａ〜Ｄｃ（波長多重信号光Ｓａ〜Ｓｃ）の波長帯域は狭くなり、伝送可能なユーザのデータ量が減少する。また、これとは逆に主信号光Ｄａ〜Ｄｃの波長帯域が広いほど、ＯＳＣ光ＳＣａ〜ＳＣｃの波長帯域は狭くなり、監視制御情報のデータ量が減少する。
【００５８】
図３は、送信ユニット２ａにおける波長変換前後及び合波後の波長多重信号光Ｓａ〜Ｓｃ及びＯＳＣ光ＳＣａ〜ＳＣｃの波長帯域の例を示す図である。λa〜λcは各ＯＳＣ光ＳＣａ〜ＳＣｃの中心波長（以下、単に「波長λa〜λc」と表記）をそれぞれ示し、ＢＷａ〜ＢＷｃは各波長多重信号光Ｓａ〜Ｓｃの帯域幅を示す。
【００５９】
符号Ｇ１は波長変換前の波長帯域を示す。波長変換前の波長多重信号光Ｓａ〜Ｓｃ及びＯＳＣ光ＳＣａ〜ＳＣｃはＣバンド内に配置されている。
【００６０】
符号Ｇ２は波長変換後の波長帯域を示す。波長変換後の波長多重信号光Ｓａ及びＯＳＣ光ＳＣａはＬバンド内に配置され、波長変換後の波長多重信号光Ｓｃ及びＯＳＣ光ＳＣｃはＳバンド内に配置されている。また、波長多重信号光Ｓｂ及びＯＳＣ光ＳＣｂは、波長変換されず、Ｃバンド内に配置されたままである。
【００６１】
符号Ｇ３は合波後の波長帯域を示す。波長多重信号光Ｓａ〜Ｓｃ及びＯＳＣ光ＳＣａ〜ＳＣｃの波長帯域は、波長変換によって互いに重複しないように配置されている。
【００６２】
このように、波長多重信号光Ｓａ及びＯＳＣ光ＳＣａは共通の波長帯に配置され、波長多重信号光Ｓｂ及びＯＳＣ光ＳＣｂは共通の波長帯に配置され、波長多重信号光Ｓｃ及びＯＳＣ光ＳＣｃは共通の波長帯に配置されている。このため、波長変換部２４ａ，２４ｃ，３４ａ，３４ｃが波長変換可能な帯域幅を考慮すると、波長多重信号光Ｓａ〜Ｓｃの帯域幅ＢＷａ〜ＢＷｃは、ＯＳＣ光ＳＣａ〜ＳＣｃの帯域幅に応じて狭くなる。
【００６３】
このため、波長多重信号光Ｓａ〜Ｓｃに波長多重される主信号光Ｄａ〜Ｄｃの数、つまりクライアント信号のチャネル数が減少する。
【００６４】
一方、ＯＳＣ光ＳＣａ〜ＳＣｃの帯域幅を減少させれば、波長多重信号光Ｓａ〜Ｓｃに波長多重される主信号光Ｄａ〜Ｄｃの数を増加させることが可能であるが、ＯＳＣ光ＳＣａ〜ＳＣｃに含めることが可能な監視情報のデータ量が減少する。
【００６５】
（第１実施例）
そこで、第１実施例の伝送装置８ａ，８ｂでは、ＯＳＣ光ＳＣａ〜ＳＣｃの波長λa〜λcを波長多重信号光Ｓａ〜Ｓｃの波長帯（Ｃバンド、Ｌバンド、及びＳバンド）の外部に配置して、ＯＳＣ光ＳＣａ〜ＳＣｃの波長変換を行わないように伝送処理を行う。なお。伝送装置８ａ，８ｂは、それぞれ、第１及び第２伝送装置の一例である。
【００６６】
図４は、第１実施例の送信ユニット２ａ及び受信ユニット３ｂを示す構成図である。図４において、図１と共通する構成には同一の符号を付し、その説明は省略する。
【００６７】
なお、図１の送信器２０ａ〜２０ｃ、合波器２１ａ〜２１ｃ、分波器３１ａ〜３１ｃ、受信器３０ａ〜３０ｃ、制御ユニット１ａ，１ｂ、送信ユニット２ｂ、及び受信ユニット３ａの図示は省略する。また、送信ユニット２ｂは送信ユニット２ａと同一の構成を有し、受信ユニット３ａは受信ユニット３ｂと同一の構成を有する。
【００６８】
送信ユニット２ａは、比較例の光送信処理部Ｕａに代えて光送信処理部Ｕ１ａを有する。光送信処理部Ｕ１ａは、分波器２７ａ，２７ｃ、波長変換部２４ａ，２４ｃ、合波器２８ａ，２８ｃ，２６を有する。なお、分波器２７ａ，２７ｃは、例えばＷＤＭフィルタであり、合波器２８ａ，２８ｃは、例えばＷＤＭフィルタである。
【００６９】
分波器２７ａ，２７ｃは合波器２２ａ，２２ｃと波長変換部２４ａ，２４ｃの間にそれぞれ接続されている。合波器２８ａ，２８ｃは波長変換部２４ａ，２４ｃと合波器２６の間にそれぞれ接続されている。つまり、分波器２７ａ，２７ｃ及び合波器２８ａ，２８ｃは波長変換部２４ａ，２４ｃの前段及び後段にそれぞれ設けられている。
【００７０】
分波器２７ａと合波器２８ａは、波長変換部２４ａを迂回する迂回経路２９ａにより互いに接続されている。分波器２７ｃと合波器２８ｃは、波長変換部２４ｃを迂回する迂回経路２９ｃにより互いに接続されている。なお、迂回経路２９ａ，２９ｃは例えば光ファイバである。
【００７１】
分波器２７ａは波長多重信号光ＳａからＯＳＣ光ＳＣａを分波する。波長多重信号光Ｓａは、分波器２７ａから波長変換部２４ａに入力される。ＯＳＣ光ＳＣａは、分波器２７ａから迂回経路２９ａを通って合波器２８ａに入力される。合波器２８ａは、波長変換された波長多重信号光ＳａにＯＳＣ光ＳＣａを合波する。
【００７２】
これにより、ＯＳＣ光ＳＣａは、波長変換部２４ａを迂回することができるため、波長変換されない。ここで、ＯＳＣ光ＳＣａの波長λaはＣバンド、Ｌバンド、及びＳバンドの外部に配置されているため、波長多重信号光Ｓａの帯域幅ＢＷａは波長変換部２４ａの変換可能な最大帯域幅とすることができる。したがって、波長多重信号光Ｓａに波長多重される主信号光Ｄａのチャネル数の減少が抑制される。なお、分波器２７ａ、合波器２８ａ、及び迂回経路２９ａは第１合分波部の一例である。
【００７３】
また、分波器２７ｃは波長多重信号光ＳｃからＯＳＣ光ＳＣｃを分波する。波長多重信号光Ｓｃは、分波器２７ｃから波長変換部２４ｃに入力される。ＯＳＣ光ＳＣｃは、分波器２７ｃから迂回経路２９ｃを通って合波器２８ｃに入力される。合波器２８ｃは、波長変換された波長多重信号光ＳｃにＯＳＣ光ＳＣｃを合波する。
【００７４】
これにより、ＯＳＣ光ＳＣｃは、波長変換部２４ｃを迂回することができるため、波長変換されない。ここで、ＯＳＣ光ＳＣｃの波長λcはＣバンド、Ｌバンド、及びＳバンドの外部に配置されているため、波長多重信号光Ｓｃの帯域幅ＢＷｃは波長変換部２４ｃの変換可能な最大帯域幅とすることができる。なお、分波器２７ｃ、合波器２８ｃ、及び迂回経路２９ｃは第１合分波部の一例である。
【００７５】
一方、受信ユニット３ｂは、比較例の光受信処理部Ｕｂに代えて光受信処理部Ｕ１ｂを有する。光受信処理部Ｕ１ｂは、分波器３６，３７ａ，３７ｃ、波長変換部３４ａ，３４ｃ、合波器３８ａ，３８ｃを有する。なお、分波器３７ａ，３７ｃは、例えばＷＤＭフィルタであり、合波器３８ａ，３８ｃは、例えばＷＤＭフィルタである。
【００７６】
分波器３７ａ，３７ｃは分波器３６と波長変換部３４ａ，３４ｃの間にそれぞれ接続されている。合波器３８ａ，３８ｃは波長変換部３４ａ，３４ｃと分波器３２ａ，３２ｃの間にそれぞれ接続されている。つまり、分波器３７ａ，３７ｃ及び合波器３８ａ，３８ｃは波長変換部３４ａ，３４ｃの前段及び後段にそれぞれ設けられている。
【００７７】
分波器３７ａと合波器３８ａは、波長変換部３４ａを迂回する迂回経路３９ａにより互いに接続されている。分波器３７ｃと合波器３８ｃは、波長変換部３４ｃを迂回する迂回経路３９ｃにより互いに接続されている。なお、迂回経路３９ａ，３９ｃは例えば光ファイバである。
【００７８】
分波器３７ａは波長多重信号光ＳａからＯＳＣ光ＳＣａを分波する。波長多重信号光Ｓａは、分波器３７ａから波長変換部３４ａに入力される。ＯＳＣ光ＳＣａは、分波器３７ａから迂回経路３９ａを通って合波器３８ａに入力される。合波器３８ａは、波長変換された波長多重信号光ＳａにＯＳＣ光ＳＣａを合波する。
【００７９】
これにより、ＯＳＣ光ＳＣａは、波長変換部３４ａを迂回することができるため、波長変換されない。ここで、ＯＳＣ光ＳＣａの波長λaはＣバンド、Ｌバンド、及びＳバンドの外部に配置されているため、波長多重信号光Ｓａの帯域幅ＢＷａは波長変換部３４ａの変換可能な最大帯域幅とすることができる。なお、分波器３７ａ、合波器３８ａ、及び迂回経路３９ａは第２合分波部の一例である。
【００８０】
また、分波器３７ｃは波長多重信号光ＳｃからＯＳＣ光ＳＣｃを分波する。波長多重信号光Ｓｃは、分波器３７ｃから波長変換部３４ｃに入力される。ＯＳＣ光ＳＣｃは、分波器３７ｃから迂回経路３９ｃを通って合波器３８ｃに入力される。合波器３８ｃは、波長変換された波長多重信号光ＳｃにＯＳＣ光ＳＣｃを合波する。
【００８１】
これにより、ＯＳＣ光ＳＣｃは、波長変換部３４ｃを迂回することができるため、波長変換されない。ここで、ＯＳＣ光ＳＣｃの波長λcはＣバンド、Ｌバンド、及びＳバンドの外部に配置されているため、波長多重信号光Ｓｃの帯域幅ＢＷｃは波長変換部３４ｃの変換可能な最大帯域幅とすることができる。なお、分波器３７ｃ、合波器３８ｃ、及び迂回経路３９ｃは第２合分波部の一例である。
【００８２】
このように、送信ユニット２ａ及び受信ユニット３ｂは、ＯＳＣ光ＳＣａ，ＳＣｃの波長帯を変換せず、波長多重信号光Ｓａ，Ｓｃの波長帯だけを波長変換部２４ａ，２４ｃ，３４ａ，３４ｃにより変換する。
【００８３】
図５は、送信ユニット２ａにおける波長変換前後及び合波後の波長多重信号光Ｓａ〜Ｓｃ及びＯＳＣ光ＳＣａ〜ＳＣｃの波長帯域の例を示す図である。
【００８４】
符号Ｇ４は波長変換前の波長帯域を示す。各ＯＳＣ光ＳＣａ〜ＳＣｃの波長λa〜λcは、Ｓバンド、Ｃバンド、及びＬバンドの外部に配置されている。例えば波長λa〜λcは、ラマン増幅（DRA: Distributes Raman Amplification）の励起波長とＯＨ基の吸収を避けるためにＬバンドの長波長側に配置される。波長λa〜λcは、互いに異なり、それぞれ、一例として１６３０（nm）、１６４０（nm）、及び１６５０（nm）としてもよい。
【００８５】
波長λa〜λcがＳバンド、Ｃバンド、及びＬバンドの外部に配置されているため、波長多重信号光Ｓａ〜Ｓｃの帯域幅ＢＷａ〜ＢＷｃは、図３の比較例の場合の帯域幅ＢＷａ〜ＢＷｃより広くなっている。このため、波長多重信号光Ｓａ〜Ｓｃは、比較例の場合より多くの主信号光Ｄａ〜Ｄｃを波長多重することができる。
【００８６】
符号Ｇ５は波長変換後の波長帯域を示す。波長多重信号光Ｓａ，Ｓｃの波長帯はＣバンドからＬバンド及びＳバンドに変換されるが、ＯＳＣ光ＳＣａ，ＳＣｃの波長帯は変換されない。
【００８７】
符号Ｇ６は合波後の波長帯域を示す。波長λa〜λcは互いに異なるため、ＯＳＣ光ＳＣａ〜ＳＣｃは、スペクトル同士が重なることなく合波される。
【００８８】
このように、送信ユニット２ａは、ＯＳＣ光ＳＣａをＣバンドの波長多重信号光Ｓａから分波してＬバンドの波長多重信号光Ｓａに合波することによりＯＳＣ光ＳＣａに波長変換部２４ａを迂回させ、ＯＳＣ光ＳＣａの波長帯を変換しない。また、ＯＳＣ光ＳＣｃも、ＯＳＣ光ＳＣａと同様に波長変換部２４ｃを迂回するため、波長帯が変換されない。
【００８９】
ＯＳＣ光ＳＣａ〜ＳＣｃはＳバンド、Ｃバンド、及びＬバンドの外部の波長λa〜λcをそれぞれ有する。このため、波長多重信号光Ｓａ〜Ｓｃの帯域幅ＢＷａ〜ＢＷｃは、ＯＳＣ光ＳＣａ〜ＳＣｃの帯域幅の分だけ広く設定することが可能である。したがって、波長多重信号光Ｓａ〜Ｓｃには、比較例の場合より多くの主信号光Ｄａ〜Ｄｃを多重することが可能となる。
【００９０】
一方、受信ユニット３ｂは、ＯＳＣ光ＳＣａをＬバンドの波長多重信号光Ｓａから分波してＣバンドの波長多重信号光Ｓａに合波することによりＯＳＣ光ＳＣａに波長変換部３４ａを迂回させ、ＯＳＣ光ＳＣａの波長帯を変換しない。また、ＯＳＣ光ＳＣｃも、ＯＳＣ光ＳＣａと同様に波長変換部３４ｃを迂回するため、波長帯が変換されない。
【００９１】
このため、受信ユニット３ｂは、正常に波長多重信号光Ｓａ〜Ｓｃ及びＯＳＣ光ＳＣａ〜ＳＣｃを受信することができる。
【００９２】
よって、本例の伝送システムによると、主信号光Ｄａ〜Ｄｃ及びＯＳＣ光ＳＣａ〜ＳＣｃの波長帯域の減少を抑制することができる。なお、本例の伝送システムによる波長多重信号光Ｓａ〜Ｓｃ及びＯＳＣ光ＳＣａ〜ＳＣｃの伝送処理は、実施例に係る伝送方法の１つである。
【００９３】
また、本例によると、ＯＳＣ光ＳＣａ，ＳＣｃが波長変換部２４ａ，２４ｃ，３４ａ，３４ｃに入力されないため、高非線形ファイバ２４５内における波長多重信号光Ｓａ，ＳｃとＯＳＣ光ＳＣａ，ＳＣｃの間の相互位相変調（XPM: Cross Phase Modulation）が抑制される。これにより、波長多重信号光Ｓａ，Ｓｃの伝送品質の低下が抑制される。
【００９４】
なお、波長変換部２４ａ，２４ｃ，３４ａ，３４ｃにＯＳＣ光ＳＣａ，ＳＣｃが入力される場合でも、ＯＳＣ光ＳＣａ，ＳＣｃのパワーを低下させることにより相互位相変調を防止することも可能である。さらにＯＳＣ光ＳＣａ，ＳＣｃのパワーを、四光波混合が生じない程度まで下げれば、ＯＳＣ光ＳＣａ，ＳＣｃの波長帯は、本例と同様に変換されない。しかし、パワーが低下すると、伝送路９０における損失によって、ＯＳＣ光ＳＣａ，ＳＣｃの伝送距離が比較例より短くなってしまう。
【００９５】
これに対し、本例では、ＯＳＣ光ＳＣａ，ＳＣｃのパワーを低下させずに波長多重信号光Ｓａ〜Ｓｃの波長帯域を広げるため、伝送距離が比較例より減少することはない。
【００９６】
（第２実施例）
第１実施例において、ＯＳＣ光ＳＣａ〜ＳＣｃの波長λa〜λcは相違するため、ＯＳＣ送信部２５ａ〜２５ｃ及びＯＳＣ受信部３５ａ〜３５ｃは、互いに異なる波長λa〜λcのＯＳＣ光ＳＣａ〜ＳＣｃを送信及び受信する必要がある。このため、例えば制御ユニット１ａ，１ｂはＯＳＣ送信部２５ａ〜２５ｃ及びＯＳＣ受信部３５ａ〜３５ｃの波長設定を個別に行う手間がかかる。
【００９７】
そこで本例のように、ＯＳＣ送信部２５ａ〜２５ｃ及びＯＳＣ受信部３５ａ〜３５ｃが共通の波長λoのＯＳＣ光ＳＣａ〜ＳＣｃを送信及び受信できるように、その途中で波長λoから個別の波長λa〜λcへの変換が行われてもよい。
【００９８】
図６は、第２実施例の送信ユニット２ａ及び受信ユニット３ｂを示す構成図である。図６において、図１と共通する構成には同一の符号を付し、その説明は省略する。
【００９９】
なお、図６において、図１の送信器２０ａ〜２０ｃ、合波器２１ａ〜２１ｃ、分波器３１ａ〜３１ｃ、受信器３０ａ〜３０ｃ、制御ユニット１ａ，１ｂ、送信ユニット２ｂ、及び受信ユニット３ａの図示は省略する。また、送信ユニット２ｂは送信ユニット２ａと同一の構成を有し、受信ユニット３ａは受信ユニット３ｂと同一の構成を有する。
【０１００】
送信ユニット２ａは、比較例の光送信処理部Ｕａに代えて光送信処理部Ｕ２ａを有する。光送信処理部Ｕ２ａは、分波器４０ａ〜４０ｃ、光−電気変換（ＯＥ）部４１ａ〜４１ｃ、電気−光変換（ＥＯ）部４２ａ〜４２ｃ、波長変換部２４ａ，２４ｃ、及び合波器４３を有する。なお、分波器４０ａ〜４０ｃは、例えばＷＤＭフィルタであり、合波器４３は、例えばＷＤＭフィルタである。
【０１０１】
分波器４０ａ，４０ｃは合波器２２ａ，２２ｃと波長変換部２４ａ，２４ｃの間にそれぞれ接続されている。分波器４０ｂは合波器２２ｂと合波器２６の間に接続されている。ＯＥ部４１ａ〜４１ｃは分波器４０ａ〜４０ｃ及びＥＯ部４２ａ〜４２ｃにそれぞれ接続されている。ＥＯ部４２ａ〜４２ｃはＯＥ部４１ａ〜４１ｃにそれぞれ接続されている。合波器４３は、ＥＯ部４２ａ〜４２ｃ、合波器２６、及び伝送路９０に接続されている。
【０１０２】
ＯＳＣ送信部２５ａ〜２５ｃは、共通の波長λoのＯＳＣ光ＳＣａ〜ＳＣｃをそれぞれ合波器２２ａ〜２２ｃに出力する。分波器４０ａ〜４０ｃには、波長λoのＯＳＣ光ＳＣａ〜ＳＣｃ及び波長多重信号光Ｓａ〜Ｓｃの合波光がそれぞれ入力される。
【０１０３】
分波器４０ａ〜４０ｃは波長多重信号光Ｓａ〜ＳｃからＯＳＣ光ＳＣａ〜ＳＣｃをそれぞれ分波する。波長多重信号光Ｓａ，Ｓｃは、分波器４０ａ，４０ｃから波長変換部２４ａ，２４ｃにそれぞれ入力される。波長多重信号光Ｓｂは、分波器４０ｂから合波器２６に入力される。合波器２６は、波長変換部２４ａ，２４ｃから入力された各合波光と合波器２２ｂから入力された波長多重信号光Ｓｂを合波して合波器４３に出力する。
【０１０４】
ＯＳＣ光ＳＣａ〜ＳＣｃは、分波器４０ａ〜４０ｃからＯＥ部４１ａ〜４１ｃにそれぞれ入力される。ＯＥ部４１ａ〜４１ｃは、ＯＳＣ光ＳＣａ〜ＳＣｃを光信号から電気信号に変換してＥＯ部４２ａ〜４２ｃにそれぞれ出力する。なお、ＯＥ部４１ａ〜４１ｃは、例えばフォトダイオードなどである。
【０１０５】
ＥＯ部４２ａ〜４２ｃは、ＯＥ部４１ａ〜４１ｃからそれぞれ入力された電気信号を光信号に変換する。ＥＯ部４２ａ〜４２ｃは、光信号として波長λa〜λcのＯＳＣ光ＳＣａ〜ＳＣｃをそれぞれ合波器４３に出力する。
【０１０６】
合波器４３は、前段の合波器２６から入力された波長多重信号光Ｓａ〜Ｓｃの合波光に、ＥＯ部４２ａ〜４２ｃからそれぞれ入力されたＯＳＣ光ＳＣａ〜ＳＣｃを合波する。これにより、合波器４３は合波光Ｓｍｕｘを生成して伝送路９０に出力する。
【０１０７】
上記の構成によると、ＯＳＣ光ＳＣａ，ＳＣｃは、分波器４０ａ，４０ｃにより波長多重信号光Ｓａ，Ｓｃからそれぞれ分波されてＯＥ部４１ａ，４１ｃ及びＥＯ部４２ａ，４２ｃを通って合波器４３に入力される。このため、ＯＳＣ光ＳＣａ，ＳＣｃは、波長変換部２４ａ，２４ｃを迂回し、波長帯が変換されない。
【０１０８】
したがって、本例においても、第１実施例と同様の効果が得られる。なお、分波器４０ａ，４０ｃ、ＯＥ部４１ａ，４１ｃ、ＥＯ部４２ａ，４２ｃ、及び合波器４３は第１合分波部の一例である。
【０１０９】
また、ＥＯ部４２ａ，４２ｃは、ＯＳＣ光ＳＣａ，ＳＣｃの波長λoをＯＳＣ光ＳＣａの波長λbとは異なる波長λa，λcに変換する。このため、ＯＳＣ送信部２５ａ〜２５ｃがそれぞれ生成するＯＳＣ光ＳＣａ〜ＳＣｃの波長λoが同一であっても、個別の波長λa〜λcのＯＳＣ光ＳＣａ〜ＳＣｃは、合波器４３において波長帯が重なることなく、波長多重信号光Ｓａ〜Ｓｃに波長多重される。なお、ＥＯ部４２ａ，４２ｃは第３波長変換部の一例である。
【０１１０】
また、本例において、ＯＳＣ光ＳＣｃはＥＯ部４２ｃにより波長λoから波長λcに変換されるが、ＯＳＣ送信部２５ｂが波長λbのＯＳＣ光ＳＣｂを生成する場合、ＥＯ部４２ｃによる波長変換は不要である。この場合、さらに他のＯＳＣ送信部２５ａ，２５ｃが波長λbのＯＳＣ光ＳＣａ，ＳＣｃをそれぞれ生成すれば、送信時のＯＳＣ光ＳＣａ〜ＳＣｃを共通の波長λbとすることができる。
【０１１１】
一方、受信ユニット３ｂは、比較例の光受信処理部Ｕｂに代えて光受信処理部Ｕ２ｂを有する。光受信処理部Ｕ２ｂは、分波器３６，５０、ＯＥ部５１ａ〜５１ｃ、ＥＯ部５２ａ〜５２ｃ、波長変換部３４ａ，３４ｃ、及び合波器５３ａ〜５３ｃを有する。なお、分波器５０は、例えばＷＤＭフィルタであり、合波器５３ａ〜５３ｃは、例えばＷＤＭフィルタである。
【０１１２】
分波器５０は伝送路９０と分波器３６の間に接続されている。分波器５０は、合波光ＳｍｕｘからＯＳＣ光ＳＣａ〜ＳＣｃを分波してＯＥ部５１ａ〜５１ｃにそれぞれ出力する。ＯＥ部５１ａ〜５１ｃはＥＯ部５２ａ〜５２ｃにそれぞれ接続されている。ＥＯ部５２ａ〜５２ｃは合波器５３ａ〜５３ｃにそれぞれ接続されている。
【０１１３】
ＯＳＣ光ＳＣａ〜ＳＣｃは、分波器５０からＯＥ部５１ａ〜５１ｃにそれぞれ入力される。ＯＥ部５１ａ〜５１ｃは、ＯＳＣ光ＳＣａ〜ＳＣｃを光信号から電気信号に変換してＥＯ部５２ａ〜５２ｃにそれぞれ出力する。なお、ＯＥ部５１ａ〜５１ｃは、例えばフォトダイオードなどである。
【０１１４】
ＥＯ部５２ａ〜５２ｃは、ＯＥ部５１ａ〜５１ｃからそれぞれ入力された電気信号を光信号に変換する。ＥＯ部５２ａ〜５２ｃは、光信号として共通の波長λoのＯＳＣ光ＳＣａ〜ＳＣｃを合波器５３ａ〜５３ｃにそれぞれ出力する。
【０１１５】
合波器５３ａ〜５３ｃは、波長多重信号光Ｓａ〜ＳｃにＯＳＣ光ＳＣａ〜ＳＣｃをそれぞれ合波する。波長多重信号光Ｓａ〜Ｓｃ及びＯＳＣ光ＳＣａ〜ＳＣｃの各合波光は分波器３２ａ〜３２ｃにそれぞれ入力される。
【０１１６】
上記の構成によると、ＯＳＣ光ＳＣａ，ＳＣｃは、分波器５０により波長多重信号光Ｓａ，Ｓｃから分波されてＯＥ部５１ａ，５１ｃ及びＥＯ部５２ａ，５２ｃを通って合波器５３ａ，５３ｃに入力される。このため、ＯＳＣ光ＳＣａ，ＳＣｃは、波長変換部３４ａ，３４ｃを迂回するため、波長帯が変換されない。
【０１１７】
これにより、ＯＳＣ受信部３５ａ〜３５ｃは共通の波長λoのＯＳＣ光ＳＣａ〜ＳＣｃをそれぞれ受信することができる。なお、分波器５０、ＯＥ部５１ａ，５１ｃ、ＥＯ部５２ａ，５２ｃ、及び合波器５３ａ，５３ｃは第２合分波部の一例である。また、本例の伝送システムによる波長多重信号光Ｓａ〜Ｓｃ及びＯＳＣ光ＳＣａ〜ＳＣｃの伝送処理は、実施例に係る伝送方法の１つである。
【０１１８】
（第３実施例）
第１及び第２実施例において、送信ユニット２ａは、波長多重信号光Ｓａ〜Ｓｃに個別の波長λa〜λcのＯＳＣ光ＳＣａ〜ＳＣｃを合波することにより合波光Ｓｍｕｘを生成して伝送路９０に出力したが、これに限定されない。送信ユニット２ａは、波長多重信号光Ｓａ〜Ｓｃに共通の波長λmのＯＳＣ光ＳＣo（ＳＣａ〜ＳＣｃ）を合波することにより合波光Ｓｍｕｘを生成して伝送路９０に出力してもよい。
【０１１９】
図７は、第３実施例の送信ユニット２ａを示す構成図である。図７において、図１と共通する構成には同一の符号を付し、その説明は省略する。
【０１２０】
なお、図７において、図１の送信器２０ａ〜２０ｃ、合波器２１ａ〜２１ｃ、制御ユニット１ａ，１ｂ、送信ユニット２ｂ、及び受信ユニット３ａの図示は省略する。また、送信ユニット２ｂは送信ユニット２ａと同一の構成を有する。
【０１２１】
送信ユニット２ａは、比較例の光送信処理部Ｕａに代えて光送信処理部Ｕ３ａを有する。光送信処理部Ｕ３ａは、波長変換部２４ａ，２４ｃ、分波器４９ａ〜４９ｃ、ＳＦＰ４５ａ〜４５ｃ，４７、レイヤ２スイッチ（Ｌ２ＳＷ）部４６、及び合波器２６，４８を有する。なお、分波器４９ａ〜４９ｃは、例えばＷＤＭフィルタであり、合波器４８は、例えば光カプラまたは光フィルタである。また、Ｌ２ＳＷ部４６は例えばＦＰＧＡやＡＳＩＣなどのハードウェアにより構成された回路である。
【０１２２】
分波器４９ａ，４９ｃは合波器２２ａ，２２ｃと波長変換部２４ａ，２４ｃの間にそれぞれ接続されている。分波器４９ｂは合波器２２ｂと合波器２６の間に接続されている。ＳＦＰ４５ａ〜４５ｃはＬ２ＳＷ部４６と分波器４９ａ〜４９ｃの間にそれぞれ接続されている。Ｌ２ＳＷ部４６は、ＳＦＰ４５ａ〜４５ｃとＳＦＰ４７の間に接続されている。合波器４８は合波器２６と伝送路９０の間に接続されている。
【０１２３】
ＯＳＣ送信部２５ａ〜２５ｃは、共通の波長λoのＯＳＣ光ＳＣａ〜ＳＣｃをそれぞれ合波器２２ａ〜２２ｃに出力する。分波器４９ａ〜４９ｃには、波長λoのＯＳＣ光ＳＣａ〜ＳＣｃ及び波長多重信号光Ｓａ〜Ｓｃの合波光がそれぞれ入力される。
【０１２４】
分波器４９ａ〜４９ｃは波長多重信号光Ｓａ〜ＳｃからＯＳＣ光ＳＣａ〜ＳＣｃをそれぞれ分波する。波長多重信号光Ｓａ，Ｓｃは、分波器４９ａ，４９ｃから波長変換部２４ａ，２４ｃにそれぞれ入力される。波長多重信号光Ｓｂは、分波器４９ｂから合波器２６に入力される。なお、分波器４９ａ，４９ｃは第１分波部の一例である。
【０１２５】
ＯＳＣ光ＳＣａ〜ＳＣｃは、分波器４９ａ〜４９ｃからＳＦＰ４５ａ〜４５ｃにそれぞれ入力される。ＳＦＰ４５ａ〜４５ｃは、分波器４９ａ〜４９ｃからそれぞれ入力されたＯＳＣ光ＳＣａ〜ＳＣｃを電気的なデータ信号Ｅａ〜Ｅｃにそれぞれ変換する。ＳＦＰ４５ａ〜４５ｃは、データ信号Ｅａ〜ＥｃをＬ２ＳＷ部４６にそれぞれ出力する。なお、ＳＦＰ４５ｂは第１電気変換部の一例であり、データ信号Ｅｂは第１データ信号の一例である。また、ＳＦＰ４５ａ，４５ｃは第２電気変換部の一例であり、データ信号Ｅａ，Ｅｃは第２データ信号の一例である。
【０１２６】
Ｌ２ＳＷ部４６は、ＳＦＰ４５ａ〜４５ｃから入力されたデータ信号Ｅａ〜Ｅｃを時分割多重する。Ｌ２ＳＷ部４６は、ポートＰ＃１〜Ｐ＃４及び転送処理部４６０を有する。ポートＰ＃１〜Ｐ＃４は、例えばイーサネット信号などのデータ信号を送受信する。転送処理部４６０は、例えばメモリ内の転送テーブル４６１に基づきポートＰ＃１〜Ｐ＃４の間でデータ信号を交換する。転送テーブル４６１は、例えば制御ユニット１ａ，１ｂからＬ２ＳＷ部４６に設定される。
【０１２７】
転送テーブル４６１には、例えばポートＩＤ、タイプ、及びＶＩＤ（Virtual LAN Identifier）が登録されている。ポートＩＤは、ポートＰ＃１〜Ｐ＃４の識別子（＃１〜＃４）である。タイプには、単一のＶＬＡＮのデータ信号が入出力されるポートＰ＃１〜Ｐ＃３には「Access」が設定され、複数のＶＬＡＮのデータ信号が入出力されるポートＰ＃４には「Trunk」が設定される。ＶＩＤは、ポートＰ＃１〜Ｐ＃４に対応するデータ信号の回線の識別子である。
【０１２８】
本例では、ポートＰ＃１〜Ｐ＃３にデータ信号Ｅａ〜Ｅｃがそれぞれ入力される。また、ポートＰ＃１〜Ｐ＃３のＶＩＤは「１０」、「２０」、及び「３０」にそれぞれ設定されている。これにより、転送処理部４６０は、データ信号Ｅａ〜ＥｃにＶＩＤ「１０」、「２０」、及び「３０」をそれぞれ付与する。
【０１２９】
また、ポートＰ＃４のタイプは「Trunk」に設定され、ポートＰ＃４のＶＩＤは「１０」、「２０」、及び「３０」に設定されている。このため、転送処理部４６０は、ＶＩＤが付与されたデータ信号Ｅａ〜Ｅｃを時分割多重してポートＰ＃４から出力する。データ信号Ｅａ〜Ｅｃが時分割多重された時分割多重信号ＥｏはＳＦＰ４７に入力される。なお、Ｌ２ＳＷ部４６は多重処理部の一例である。
【０１３０】
図８は、時分割多重処理の一例を示す図である。本例において、データ信号Ｅａ〜Ｅｃのフレーム形式はイーサネットフレームと仮定するが、これに限定されない。
【０１３１】
データ信号Ｅａ〜Ｅｃは、ＤＡ（Destination Address）、ＳＡ（Source Address）、Ｔｙｐｅ、ペイロード、及びＦＣＳ（Frame Check Sequence）領域を有する。ペイロードには、波長多重信号光Ｓａ〜Ｓｃの監視制御情報が収容されている。
【０１３２】
データ信号Ｅａ〜Ｅｃは時分割多重信号Ｅｏに多重される。このとき、各データ信号Ｅａ〜Ｅｃには、ＶＬＡＮタグが付与される。ＶＬＡＮタグのＴＣＩ（Tag Control Information）には、プライオリティ領域（ＰＲＩ）、ＣＦＩ（Canonical Format Indicator）、及びＶＩＤなどが含まれる。一例として、データ信号ＥａのＶＩＤは「１０」であり、データ信号ＥｂのＶＩＤは「２０」であり、データ信号ＥｃのＶＩＤは「３０」である。なお、データ信号ＥｂのＶＩＤは第１識別子の一例であり、データ信号Ｅａ，ＥｃのＶＩＤは第２識別子の一例である。
【０１３３】
再び図７を参照すると、ＳＦＰ４７は時分割多重信号Ｅｏを中心波長λmの制御光信号ＳＣｏに変換する。制御光信号ＳＣｏは合波器４８に入力される。合波器４８は、前段の合波器２６から入力された波長多重信号光Ｓａ〜Ｓｃに制御光信号ＳＣｏを合波し、その合波光Ｓｍｕｘを伝送路９０に出力する。なお、ＳＦＰ４７は第１光変換部の一例であり、合波器４８は第２合波部の一例である。また、制御光信号ＳＣｏは光信号の一例である。
【０１３４】
上記の構成によると、ＯＳＣ光ＳＣａ，ＳＣｃは、分波器４９ａ，４９ｃにより波長多重信号光Ｓａ，Ｓｃからそれぞれ分波されてＳＦＰ４５ａ，４５ｃ，４７及びＬ２ＳＷ部４６を通って合波器４８に入力される。このため、ＯＳＣ光ＳＣａ，ＳＣｃは、波長変換部２４ａ，２４ｃを迂回し、波長帯が変換されない。
【０１３５】
したがって、本例においても、第１実施例と同様の効果が得られる。なお、分波器４９ａ，４９ｃ、ＳＦＰ４５ａ，４５ｃ，４７、Ｌ２ＳＷ部４６、及び合波器４８は第１合分波部の一例である。
【０１３６】
また、本例では、Ｌ２ＳＷ部４６がデータ信号Ｅａ〜Ｅｃを１つの時分割多重信号Ｅｏに時分割多重するため、ＯＳＣ光ＳＣａ〜ＳＣｃを単一の波長λmの制御光信号ＳＣｏに変換して伝送することが可能である。このため、ＯＳＣ光ＳＣａ〜ＳＣｃに必要な帯域幅が第１及び第２実施例の場合より削減される。
【０１３７】
また、本例では、共通の波長λoのＯＳＣ光ＳＣａ〜ＳＣｃから制御光信号ＳＣｏが生成されるため、第２実施例と同様の効果が得られる。なお、本例において、ＳＦＰ４５ａ〜４５ｃ，４７に代えて、ＸＦＰ（10 Gigabit small Form-factor Pluggable）が用いられてもよい。
【０１３８】
図９は、第３実施例の受信ユニット３ｂを示す構成図である。図９において、図１と共通する構成には同一の符号を付し、その説明は省略する。
【０１３９】
なお、図９において、図１の分波器３１ａ〜３１ｃ、受信器３０ａ〜３０ｃ、制御ユニット１ａ，１ｂ、送信ユニット２ｂ、及び受信ユニット３ａの図示は省略する。また、受信ユニット３ａは受信ユニット３ｂと同一の構成を有する。
【０１４０】
受信ユニット３ｂは、比較例の光受信処理部Ｕｂに代えて光受信処理部Ｕ３ｂを有する。光受信処理部Ｕ３ｂは、分波器３６，５５、ＳＦＰ５６，５８ａ〜５８ｃ、波長変換部３４ａ，３４ｃ、合波器５９ａ〜５９ｃ、及びＬ２ＳＷ部５７を有する。なお、分波器５５は、例えば光スプリッタまたは光フィルタであり、合波器５９ａ〜５９ｃは、例えば光カプラまたは光フィルタである。また、Ｌ２ＳＷ部５７は例えばＦＰＧＡやＡＳＩＣなどのハードウェアにより構成された回路である。
【０１４１】
分波器５５は伝送路９０と分波器３６の間に接続されている。ＳＦＰ５６は分波器５５とＬ２ＳＷ部５７の間に接続されている。合波器５９ａ，５９ｃは、波長変換部３４ａ，３４ｃと分波器３２ａ，３２ｃの間にそれぞれ接続されている。合波器５９ｂは分波器３６と分波器３２ｂの間に接続されている。ＳＦＰ５８ａ〜５８ｃはＬ２ＳＷ部５７と合波器５９ａ〜５９ｃの間にそれぞれ接続されている。
【０１４２】
分波器５５には、伝送路９０から合波光Ｓｍｕｘが入力される。分波器５５は、合波光Ｓｍｕｘから制御光信号ＳＣｏを分波してＳＦＰ５６に出力する。ＳＦＰ５６は、制御光信号ＳＣｏを電気的な時分割多重信号Ｅｏに変換してＬ２ＳＷ部５７に出力する。なお、分波器５５は第２分波部の一例であり、ＳＦＰ５６は第３電気変換部の一例である。
【０１４３】
Ｌ２ＳＷ部５７は、時分割多重信号Ｅｏからデータ信号Ｅａ〜Ｅｃを分離する。Ｌ２ＳＷ部５７は、ポートＰ＃１〜Ｐ＃４及び転送処理部５７０を有する。ポートＰ＃１〜Ｐ＃４は、例えばイーサネット信号などのデータ信号を送受信する。転送処理部５７０は、例えばメモリ内の転送テーブル５７１に基づきポートＰ＃１〜Ｐ＃４の間でデータ信号を交換する。転送テーブル５７１は、例えば制御ユニット１ａ，１ｂからＬ２ＳＷ部５７に設定される。なお、転送テーブル５７１は転送テーブル４６１と同様の設定内容を有するため、その説明は省略する。
【０１４４】
ポートＰ＃４には、時分割多重信号Ｅｏが入力される。転送処理部５７０は、時分割多重信号Ｅｏからデータ信号Ｅａ〜Ｅｃを分離する。転送処理部５７０は、データ信号Ｅａ〜ＥｃからＶＩＤ「１０」、「２０」、及び「３０」を検出する。転送処理部５７０は、転送テーブル５７１に従って、ＶＩＤ「１０」のデータ信号ＥａをポートＰ＃１からＳＦＰ５８ａに出力し、ＶＩＤ「２０」のデータ信号ＥｂをポートＰ＃２からＳＦＰ５８ｂに出力し、ＶＩＤ「３０」のデータ信号ＥｃをポートＰ＃３からＳＦＰ５８ｃに出力する。
【０１４５】
ＳＦＰ５８ａ〜５８ｃはデータ信号Ｅａ〜Ｅｃを共通の波長λoのＯＳＣ光ＳＣａ〜ＳＣｃにそれぞれ変換する。ＯＳＣ光ＳＣａ〜ＳＣｃはＳＦＰ５８ａ〜５８ｃから合波器５９ａ〜５９ｃに入力される。なお、ＳＦＰ５８ａ，５８ｃは第２光変換部の一例であり、ＳＦＰ５８ｂは第３光変換部の一例である。
【０１４６】
合波器５９ａ，５９ｃは、波長変換部３４ａ，３４ｃから入力された波長多重信号光Ｓａ，ＳｃにＯＳＣ光ＳＣａ，ＳＣｃをそれぞれ合波する。合波器５９ｂは、前段の分波器３６から入力された波長多重信号光ＳｂにＯＳＣ光ＳＣｂを合波する。
【０１４７】
ＯＳＣ光ＳＣａ〜ＳＣｃは、合波器５９ａ〜５９ｃから分波器３２ａ〜３２ｃに入力されて波長多重信号光Ｓａ〜Ｓｃからそれぞれ分波される。これにより、ＯＳＣ受信部３５ａ〜３５ｃはＯＳＣ光ＳＣａ〜ＳＣｃをそれぞれ受信する。なお、合波器５９ａ，５９ｃは第４合波部の一例であり、合波器５９ｂは第５合波部の一例である。
【０１４８】
このように、Ｌ２ＳＷ部５７は、ＶＩＤに基づきデータ信号Ｅａ〜ＥｃをＳＦＰ５８ａ〜５８ｃにそれぞれ出力する。したがって、ＯＳＣ受信部３５ａ〜３５ｃは、ＯＳＣ光ＳＣａ〜ＳＣｃを単一の波長λmの制御光信号ＳＣｏに収容されても、ＯＳＣ受信部３５ａ〜３５ｃを確実に受信することができる。なお、Ｌ２ＳＷ部５７は分離部の一例である。
【０１４９】
上記の構成によると、ＯＳＣ光ＳＣａ，ＳＣｃは、分波器５５により波長多重信号光Ｓａ，Ｓｃから分波されてＳＦＰ５８ａ，５８ｃ，５６及びＬ２ＳＷ部５７を通って合波器５９ａ，５９ｃにそれぞれ入力される。このため、ＯＳＣ光ＳＣａ，ＳＣｃは、波長変換部３４ａ，３４ｃを迂回し、波長帯が変換されない。
【０１５０】
したがって、本例においても、第１実施例と同様の効果が得られる。なお、分波器５５、ＳＦＰ５６，５８ａ，５８ｃ、Ｌ２ＳＷ部５７、及び合波器５９ａ，５９ｃは第２合分波部の一例である。また、ＳＦＰ５６，５８ａ，５８ｃに代えて、ＸＦＰが用いられてもよい。
【０１５１】
図１０は、送信ユニット２ａにおける波長変換前後及び合波後の波長多重信号光Ｓａ〜Ｓｃ及びＯＳＣ光ＳＣａ〜ＳＣｃの波長帯域の例を示す図である。
【０１５２】
符号Ｇ７は波長変換前の波長帯域を示す。各ＯＳＣ光ＳＣａ〜ＳＣｃの波長λoは共通であり、一般的なＣバンド帯の伝送方式に対応するように例えば１５１０（nm）に設定されている。波長λoが波長多重信号光Ｓａ〜Ｓｃとは異なる波長帯に配置されているため、波長多重信号光Ｓａ〜Ｓｃの帯域幅ＢＷａ〜ＢＷｃは、図３の比較例の場合の帯域幅ＢＷａ〜ＢＷｃより広くなっている。
【０１５３】
符号Ｇ８は波長変換後の波長帯域を示す。波長多重信号光Ｓａ，Ｓｃの波長帯はＣバンドからＬバンド及びＳバンドに変換される。また、ＯＳＣ光ＳＣａ〜ＳＣｃの波長λoは、時分割多重時に他の共通の波長λmに変換される。ここで、変換前後の波長λo，λmは同一の波長で、かつ、Ｓバンド、Ｃバンド、及びＬバンドの外部の波長であってもよい。
【０１５４】
符号Ｇ９は合波後の波長帯域を示す。ＯＳＣ光ＳＣａ〜ＳＣｃは単一の波長λmの制御光信号ＳＣｏとして波長多重信号光Ｓａ〜Ｓｃに合波されている。このため、ＯＳＣ光ＳＣａ〜ＳＣｃに必要な帯域幅が第１及び第２実施例の場合より削減される。
【０１５５】
なお、上記の各実施例において、ＯＳＣ光ＳＣａ〜ＳＣｃの波長λa〜λc及び制御光信号ＳＣｏの波長λｍは、Ｃバンド、Ｌバンド、及びＳバンドの外部であるが、これに限定されない。
【０１５６】
例えば、主信号光Ｄａ〜Ｄｃを波長多重した波長多重信号光Ｓａ〜Ｓｃ以外にも、例えば他の主信号光を波長多重したＵバンドの波長多重信号光が伝送路９０に伝送される場合、ＯＳＣ光ＳＣａ〜ＳＣｃの波長λa〜λc及び制御光信号ＳＣｏの波長λｍは、Ｃバンド、Ｌバンド、Ｓバンド、及びＵバンドの外部に配置される。また、伝送路９０に例えば波長多重信号光Ｓａ，Ｓｂが伝送路９０に伝送され、波長多重信号光Ｓｃが伝送されない場合、ＯＳＣ光ＳＣａ〜ＳＣｃの波長λa〜λc及び制御光信号ＳＣｏの波長λｍは、Ｓバンドに配置されてもよい。
【０１５７】
つまり、ＯＳＣ光ＳＣａ〜ＳＣｃの波長λa〜λc及び制御光信号ＳＣｏの波長λｍは、伝送路９０に伝送される主信号光の波長多重信号光Ｓａ〜Ｓｃ以外の波長帯に配置されていればよい。
【０１５８】
上述した実施形態は本発明の好適な実施の例である。但し、これに限定されるものではなく、本発明の要旨を逸脱しない範囲内において種々変形して実施可能である。
【０１５９】
なお、以上の説明に関して更に以下の付記を開示する。
（付記１）  複数の主信号光がそれぞれ波長多重された第１波長帯の第１波長多重信号光及び第２波長帯の第２波長多重信号光を合波して該合波光を送信する第１伝送装置と、
前記合波光を受信し、前記合波光から前記第１波長多重信号光と前記第２波長多重信号光を分波する第２伝送装置とを有し、
前記第１伝送装置は、
前記第１波長多重信号光に、前記第１波長多重信号光の監視制御に関する情報を含み、前記第１波長帯及び前記第２波長帯の外部の波長の第１監視制御信号光を合波する第１合波部と、
前記第１波長帯の前記第２波長多重信号光に、前記第２波長多重信号光の監視制御に関する情報を含み、前記第１波長帯及び前記第２波長帯の外部の波長の第２監視制御信号光を合波する第２合波部と、
前記第２波長多重信号光の波長帯を前記第１波長帯から前記第２波長帯に変換する第１波長変換部と、
前記第２監視制御信号光を前記第１波長帯の前記第２波長多重信号光から分波して前記第２波長帯の前記第２波長多重信号光に合波する第１合分波部とを有し、
前記第２伝送装置は、
前記第２波長多重信号光の波長帯を前記第２波長帯から前記第１波長帯に変換する第２波長変換部と、
前記第２監視制御信号光を前記第２波長帯の前記第２波長多重信号光から分波して前記第１波長帯の前記第２波長多重信号光に合波する第２合分波部とを有することを特徴とする伝送システム。
（付記２）  前記第１合分波部は、前記第２監視制御信号光の波長を前記第１監視制御信号光の波長とは異なる波長に変換する第３波長変換部を有することを特徴とする付記１に記載の伝送システム。
（付記３）  前記第１伝送装置は、前記第１監視制御信号光を前記第１波長多重信号光から分波する第１分波部と、
前記第１波長多重信号光から分波された前記第１監視制御信号光を電気的な第１データ信号に変換する第１電気変換部とを有し、
前記第１合分波部は、
前記第２波長帯の前記第２波長多重信号光から分波された前記第２監視制御信号光を電気的な第２データ信号に変換する第２電気変換部と、
前記第１データ信号及び前記第２データ信号を時分割多重する多重処理部と、
前記第１データ信号及び前記第２データ信号が時分割多重された時分割多重信号を光信号に変換する第１光変換部と、
前記光信号を前記合波光に合波する第３合波部とを有し、
前記第２合分波部は、
前記合波光から前記光信号を分波する第２分波部と、
前記光信号を電気的な前記時分割多重信号に変換する第３電気変換部と、
前記時分割多重信号から前記第１データ信号及び前記第２データ信号を分離する分離部と、
前記第２データ信号を前記第２監視制御信号光に変換する第２光変換部と、
前記第２監視制御信号光を前記第１波長帯の前記第２波長多重信号光に合波する第４合波部とを有し、
前記第２伝送装置は、
前記第１データ信号を前記第１監視制御信号光に変換する第３光変換部と、
前記第１監視制御信号光を前記第１波長多重信号光に合波する第５合波部を有することを特徴とする付記１に記載の伝送システム。
（付記４）  前記多重処理部は、前記第１データ信号及び前記第２データ信号に互いに異なる第１及び第２識別子をそれぞれ付与し、
前記分離部は、前記第１識別子及び前記第２識別子に基づき前記第１データ信号及び前記第２データ信号を前記第３光変換部及び前記第２光変換部にそれぞれ出力することを特徴とする付記３に記載の伝送システム。
（付記５）  前記第１監視制御信号光の波長と前記第２監視制御信号光の波長は同一であることを特徴とする付記３または４に記載の伝送システム。
（付記６）  複数の主信号光がそれぞれ波長多重された第１波長帯の第１波長多重信号光及び第２波長帯の第２波長多重信号光を合波して該合波光を送信する伝送装置において、
前記第１波長多重信号光に、前記第１波長多重信号光の監視制御に関する情報を含み、前記第１波長帯及び前記第２波長帯の外部の波長の第１監視制御信号光を合波する第１合波部と、
前記第１波長帯の前記第２波長多重信号光に、前記第２波長多重信号光の監視制御に関する情報を含み、前記第１波長帯及び前記第２波長帯の外部の波長の第２監視制御信号光を合波する第２合波部と、
前記第２波長多重信号光の波長帯を前記第１波長帯から前記第２波長帯に変換する波長変換部と、
前記第２監視制御信号光を前記第１波長帯の前記第２波長多重信号光から分波して前記第２波長帯の前記第２波長多重信号光に合波する合分波部とを有することを特徴とする伝送装置。
（付記７）  前記合分波部は、前記第２監視制御信号光の波長を前記第１監視制御信号光の波長とは異なる波長に変換する第３波長変換部を有することを特徴とする付記６に記載の伝送装置。
（付記８）  前記第１伝送装置は、
前記第１監視制御信号光を前記第１波長多重信号光から分波する分波部と、
前記第１波長多重信号光から分波された前記第１監視制御信号光を電気的な第１データ信号に変換する第１電気変換部とを有し、
前記合分波部は、
前記第２波長帯の前記第２波長多重信号光から分波された前記第２監視制御信号光を電気的な第２データ信号に変換する第２電気変換部と、
前記第１データ信号及び前記第２データ信号を時分割多重する多重処理部と、
前記第１データ信号及び前記第２データ信号が時分割多重された時分割多重信号を光信号に変換する光変換部と、
前記光信号を前記合波光に合波する第３合波部とを有することを特徴とする付記６に記載の伝送装置。
（付記９）  前記多重処理部は、前記第１データ信号及び前記第２データ信号に互いに異なる第１及び第２識別子をそれぞれ付与することを特徴とする付記８に記載の伝送装置。
（付記１０）  前記第１監視制御信号光の波長と前記第２監視制御信号光の波長は同一であることを特徴とする付記８または９に記載の伝送装置。
（付記１１）  複数の主信号光がそれぞれ波長多重された第１波長帯の第１波長多重信号光及び第２波長帯の第２波長多重信号光を合波して該合波光を送信する第１伝送装置と、
前記合波光を受信し、前記合波光から前記第１波長多重信号光と前記第２波長多重信号光を分波する第２伝送装置とを用い、
前記第１伝送装置は、
前記第１波長多重信号光に、前記第１波長多重信号光の監視制御に関する情報を含み、前記第１波長帯及び前記第２波長帯の外部の波長の第１監視制御信号光を合波し、
前記第１波長帯の前記第２波長多重信号光に、前記第２波長多重信号光の監視制御に関する情報を含み、前記第１波長帯及び前記第２波長帯の外部の波長の第２監視制御信号光を合波し、
前記第２波長多重信号光の波長帯を前記第１波長帯から前記第２波長帯に変換し、
前記第２監視制御信号光を前記第１波長帯の前記第２波長多重信号光から分波して前記第２波長帯の前記第２波長多重信号光に合波し、
前記第２伝送装置は、
前記第２波長多重信号光の波長帯を前記第２波長帯から前記第１波長帯に変換し、
前記第２監視制御信号光を前記第２波長帯の前記第２波長多重信号光から分波して前記第１波長帯の前記第２波長多重信号光に合波することを特徴とする伝送方法。
（付記１２）  前記第１伝送装置は、前記第２監視制御信号光の波長を前記第１監視制御信号光の波長とは異なる波長に変換することを特徴とする付記１１に記載の伝送方法。
（付記１３）  前記第１伝送装置は、
前記第１監視制御信号光を前記第１波長多重信号光から分波し、
前記第１波長多重信号光から分波された前記第１監視制御信号光を電気的な第１データ信号に変換し、
前記第２波長帯の前記第２波長多重信号光から分波された前記第２監視制御信号光を電気的な第２データ信号に変換し、
前記第１データ信号及び前記第２データ信号を時分割多重し、
前記第１データ信号及び前記第２データ信号が時分割多重された時分割多重信号を光信号に変換し、
前記光信号を前記合波光に合波し、
前記第２伝送装置は、
前記合波光から前記光信号を分波し、
前記光信号を電気的な前記時分割多重信号に変換し、
前記時分割多重信号から前記第１データ信号及び前記第２データ信号を分離し、
前記第２データ信号を前記第２監視制御信号光に変換し、
前記第２監視制御信号光を前記第１波長帯の前記第２波長多重信号光に合波し、
前記第１データ信号を前記第１監視制御信号光に変換し、
前記第１監視制御信号光を前記第１波長多重信号光に合波することを特徴とする付記１１に記載の伝送方法。
（付記１４）  前記第１伝送装置は、前記第１データ信号及び前記第２データ信号に互いに異なる第１及び第２識別子をそれぞれ付与し、
前記第２伝送装置は、前記第１識別子及び前記第２識別子に基づき前記第１データ信号及び前記第２データ信号を前記第１監視制御信号光及び前記第２監視制御信号光にそれぞれ変換することを特徴とする付記１３に記載の伝送方法。
（付記１５）  前記第１監視制御信号光の波長と前記第２監視制御信号光の波長は同一であることを特徴とする付記１３または１４に記載の伝送方法。
【符号の説明】
【０１６０】
２ａ，２ｂ      送信ユニット
３ａ，３ｂ      受信ユニット
８ａ，８ｂ      伝送装置
２８ａ，２８ｃ，２２ａ〜２２ｃ   合波器
２４ａ，２４ｃ，３４ａ，３４ｃ   波長変換部
２７ａ，２７ｃ，３２ａ〜３２ｃ   分波器
２９ａ，２９ｃ     迂回経路
４０ａ〜４０ｃ，４９ａ〜４９ｃ，５０，５５  分波器
４１ａ〜４１ｃ，５１ａ〜５１ｃ   ＯＥ部
４２ａ〜４２ｃ，５２ａ〜５２ｃ   ＥＯ部
４３，４８，５３ａ〜５３ｃ，５９ａ〜５９ｃ  合波器
４５ａ〜４５ｃ，４７，５６，５８ａ〜５８ｃ  ＳＦＰ
４６，５７      Ｌ２ＳＷ部
【図１】
2020088642.tif 000003
【図２】
2020088642.tif 000004
【図３】
2020088642.tif 000005
【図４】
2020088642.tif 000006
【図５】
2020088642.tif 000007
【図６】
2020088642.tif 000008
【図７】
2020088642.tif 000009
【図８】
2020088642.tif 000010
【図９】
2020088642.tif 000011
【図１０】
2020088642.tif 000012